(57)【要約】    【課題】      簡単な操作で緊急情報の発信を開始することができ、第３者に気づかれないで緊急情報の通報動作を完了することができ、気づかれても簡単には第３者が停止できず、かつ、ユーザの要望に合わせた内容の緊急情報が送信できること。    【解決手段】  特定のキー操作が行われたときに通常のアプリケーションが動作中であればそれを強制的に終了し、緊急通報プログラムを起動する。そして、特定のキー操作以後はそれ以外のキー操作による動作を制限するとともに、緊急通報プログラムによる通報動作を外部から認識できないように隠蔽し、特定の終了キー操作があるまで緊急通報プログラムによる通報動作を繰り返し実行する。  【選択図】      図１
2005341302.tif 000002
【特許請求の範囲】
【請求項１】
携帯電話機のアプリケーションとして通常のアプリケーションとともに装備される特定用途のアプリケーションと、特定のキー操作が行われたときに前記通常のアプリケーションが動作中であればそれを強制的に終了し、前記特定用途のアプリケーションを起動する第１手段と、前記特定のキー操作以後はキー操作による動作を制限するとともに、前記特定用途のアプリケーションによる通信動作を外部から認識できないように隠蔽する第２手段と、特定の終了キー操作があるまで前記特定用途のアプリケーションによる通信動作を繰り返し実行する第３手段と、を具備することを特徴とする携帯電話機。
【請求項２】
前記特定用途のアプリケーションは、当該携帯電話機のアプリケーションとして入れ替え可能に装備される緊急通報プログラムである、ことを特徴とする請求項１記載の携帯電話機。
【請求項３】
前記緊急通報プログラムによる通報内容を当該携帯電話機が有する基本機能の組み合わせの中から選択設定する手段、を具備することを特徴とする請求項２記載の携帯電話機。
【請求項４】
前記緊急通報プログラムによる通報内容を外部からダウンロードする外部通信手段、を具備することを特徴とする請求項２記載の携帯電話機。
【請求項５】
前記緊急通報プログラムによる通報内容には、警報音の発生が含まれる、ことを特徴とする請求項３又は請求項４記載の携帯電話機。
【請求項６】
前記緊急通報プログラムによる通報動作では、通話先と電話が繋がった場合に着信音声の出力をしない制御を行う手段、を具備することを特徴とする請求項２記載の携帯電話機。
【請求項７】
前記緊急通報プログラムによる通報動作では、通信相手に当該携帯電話機の現在位置情報をメール送信する手段、を具備することを特徴とする請求項２記載の携帯電話機。
【請求項８】
前記緊急通報プログラムによる通報動作では、通信相手に当該携帯電話機が取得した周囲の画像をメール送信する手段、を具備することを特徴とする請求項２記載の携帯電話機。
【請求項９】
前記第１手段は、前記特定のキー操作が行われたときにのみ前記特定用途のアプリケーションを起動する構成、を具備することを特徴とする請求項１記載の携帯電話機。
【請求項１０】
前記第２手段は、前記特定用途のアプリケーションによる通信動作が行われている期間内、表示画面を待ち受け画面と区別できない状態に制御する構成、を具備することを特徴とする請求項１記載の携帯電話機。
【請求項１１】
前記第２手段は、前記特定用途のアプリケーションによる通信動作が行われている期間内では、表示画面を電源オフ時の画面と区別できない状態に制御する構成、を具備することを特徴とする請求項１記載の携帯電話機。
【請求項１２】
前記第３手段は、前記特定用途のアプリケーションによる通信動作を特定の終了キー操作があるときにのみ終了し、電源オフのキー操作があっても停止せずその通信動作を継続する構成、を具備することを特徴とする請求項１記載の携帯電話機。
【請求項１３】
前記キー操作には、リモコンでのキー操作が含まれる、ことを特徴とする請求項１記載の携帯電話機。
【請求項１４】
携帯電話機に通常のアプリケーションとともに特定用途のアプリケーションとして緊急通報プログラムを装備する第１工程と、特定のキー操作が行われたときに前記通常のアプリケーションが動作中であればそれを強制的に終了し、前記緊急通報プログラムを起動する第２工程と、前記特定のキー操作以後はキー操作による動作を制限するとともに、前記緊急通報プログラムによる通報動作を外部から認識できないように隠蔽する第３工程と、特定の終了キー操作があるまで前記緊急通報プログラムによる通報動作を繰り返し実行する第４工程と、を具備することを特徴とする携帯電話機による緊急情報の通信方法。
【請求項１５】
前記第１工程は、前記緊急通報プログラムによる通報内容を当該携帯電話機が有する基本機能の組み合わせの中から選択設定する工程、を具備することを特徴とする請求項１４記載の携帯電話機による緊急情報の通信方法。
【請求項１６】
前記第１工程は、前記緊急通報プログラムによる通報内容を外部通信手段を用いてダウンロードする工程、を具備することを特徴とする請求項１４記載の携帯電話機による緊急情報の通信方法。
【請求項１７】
前記緊急通報プログラムによる通報内容には、警報音の発生が含まれる、ことを特徴とする請求項１５又は請求項１６記載の携帯電話機による緊急情報の通信方法。
【請求項１８】
前記第２工程は、前記特定のキー操作が行われたときにのみ前記緊急通報プログラムを起動する工程、を具備することを特徴とする請求項１４記載の携帯電話機による緊急情報の通信方法。
【請求項１９】
前記第３工程は、前記緊急通報プログラムによる通報動作が行われている期間内では、表示画面を待ち受け画面と区別できない状態に制御する工程、を具備することを特徴とする請求項１４記載の携帯電話機による緊急情報の通信方法。
【請求項２０】
前記第３工程は、前記緊急通報プログラムによる通報動作が行われている期間内では、表示画面を電源オフ時の画面と区別できない状態に制御する工程、を具備することを特徴とする請求項１４記載の携帯電話機による緊急情報の通信方法。
【請求項２１】
前記第４工程は、前記緊急通報プログラムによる通報動作を特定の終了キー操作があるときにのみ終了し、電源オフのキー操作があっても停止せずその通報動作を継続する工程、を具備することを特徴とする請求項１４記載の携帯電話機による緊急情報の通信方法。
【請求項２２】
前記第４工程は、前記緊急通報プログラムによる通報動作によって通話先と電話が繋がった場合に着信音声の出力をしない制御を行う工程、を具備することを特徴とする請求項１４記載の携帯電話機による緊急情報の通信方法。
【請求項２３】
前記第４工程は、前記緊急通報プログラムによる通報動作過程で通信相手に当該携帯電話機の現在位置情報をメール送信する工程、を具備することを特徴とする請求項１４記載の携帯電話機による緊急情報の通信方法。
【請求項２４】
前記第４工程は、前記緊急通報プログラムによる通報動作過程で通信相手に当該携帯電話機が取得した周囲の画像をメール送信する工程、を具備することを特徴とする請求項１４記載の携帯電話機による緊急情報の通信方法。
【請求項２５】
前記キー操作には、リモコンでのキー操作が含まれる、ことを特徴とする請求項１４記載の携帯電話機による緊急情報の通信方法。
【発明の詳細な説明】
【技術分野】
【０００１】
本発明は、携帯電話やＰＨＳ(Personal Handy-phone System)などの携帯電話機及び緊急情報の通信方法に関する。
【背景技術】
【０００２】
携帯電話機は、現在では広く普及し、基本となる音声通話に加えて電子メールによる通信や電子カメラによる画像取得とその画像の通信、更には測位システム（ＧＰＳ）を利用して位置情報を取得し現在位置を地図上に表示することができるものもある。
【０００３】
また、インターネットの普及により、携帯電話機によるデータ通信は、携帯電話機相互間のみならず、インターネット経由でインターネット上の任意の端末との送受信も行える環境が整っている。
【０００４】
一方、携帯電話機は、その性格から個人単位の情報ツールとして外出時には常に持ち歩いて使用されることから、携帯電話機を利用して個人の場所の検索サービスや緊急時における緊急通報サービスなどが一部実用化され、利用されている。また、携帯電話機を使用した緊急通報に関して各種の提案がなされている（例えば、特許文献１〜５）。
【０００５】
即ち、特許文献１では、異常が発生したときに簡易にそれを通報することのできる異常通報システムとして用いる技術が開示されている。また、特許文献２では、サービス契約時に登録した様々なクライアント端末に対して地図情報を含めた緊急情報を手間を掛けずに通報できるようにした技術が開示されている。
【０００６】
また、特許文献３では、異常時に通報者の位置情報等を迅速に伝える技術が開示されている。通報者は、小型の発信装置を身に付け、携帯電話機は、小型の発信装置からのトリガー信号を受信したならば、ＧＰＳ信号を受信して携帯電話機の位置情報を計算し、電話番号等の情報と共に携帯電話網を経由して管理サーバーに送信する。管理サーバーでは、それらの情報をプッシュ型配信によって端末装置に送信する。これによって、端末装置のオペレータが必要な措置を講じることで通報者を救うシステムを開示されている。
【０００７】
また、特許文献４では、携帯電話機に警報ブザーとしての機能を持たせた技術が開示されている。即ち、専用操作体（操作ボタン）と警報音とを出力する発音手段によって例え通話中であっても操作ボタンを操作することで警報音を発生することができるようにしている。
【０００８】
また、特許文献５では、児童及び徘徊癖のある老人が遭遇した異常に関する詳細な情報を携帯電話機の通信機能を利用して異常監視装置に送信し、異常監視装置は受信情報に基づいて携帯者の位置や画像、及び音声通報情報を生成し、それを家族や病院等に通報する技術が開示されている。更に、携帯電話機がカバンやバックの中にある場合や直接操作できない場合も想定して、携帯電話機とは別の小型端末と送信出力が低いBluetooth等の近距離無線で結び、異常事態時の発呼をその小型端末のピンを引き抜く等の簡単な操作で行えるにする技術も開示されている。
【０００９】
以下、図６〜図７を参照して、特許文献５に紹介されている病院や家庭での医療患者に対する異常通報システムについて説明する。なお、図６は、従来の異常通報システムの構成例を示すブロック図である。図７は、図６に示す異常通報システムの動作を説明するフローチャートである。
【００１０】
図６に示す異常通報システムは、医療患者が絶えず身に付けて保持して送信装置６００及び携帯電話機である通信装置６１０と、インターネット及び電話網等の通信網ＮＷに接続される異常監視装置６２０及び受信装置６３０とで構成されている。
【００１１】
送信装置６００は、医療患者の体の状態を絶えず検診している装置であり、押しボタンやピン等の携帯者の操作によって異常を検出する異常検出手段６０１、当該送信装置６００を特定して通信装置６１０が認識するための送信装置識別情報等の情報を記録するＲＯＭ６０２、及び異常検出手段６０１が検出した異常を示す異常情報を無線通信により送信する無線通信手段６０３を備えている。
【００１２】
通信装置６１０は、通信処理及び音声処理等の各種処理を制御するＣＰＵ６１１、各種処理に必要なプログラム及び各種データ等の情報を記録する記録手段６１２、並びにＲＡＭ６１３を備え、記録手段６１２には、電子メール送受信用のソフトウェアプログラム等の各種プログラム及び通信装置識別情報等の各種データが記録されている。
【００１３】
即ち、ＣＰＵ６１１は、無線インターフェースである無線通信手段６１４を制御する。無線通信手段６１４は、第１アンテナＡ１を介して送信装置６００の無線通信手段６０３とBluetooth等の近距離無線で繋がっている。また、ＣＰＵ６１１は、音声信号の入出力及び送受信を制御する通信制御手段６１５を制御する。
【００１４】
通信制御手段６１５は、デジタル音声信号及び電子メール等の情報を第２アンテナＡ２を介して通信網ＮＷ上の異常監視装置６２０と送受信する通信網通信手段６１６と、デジタル音声信号をアナログ音声信号に変換してスピーカＳから出力し、マイクＭから入力されたアナログ音声信号をデジタル音声信号に変換する音声処理手段６１７とを制御する。
【００１５】
更に、ＣＰＵ６１１は、電話番号及び各種命令等のキー入力を行うキー手段Ｋから入力を受け付け、キー入力された情報及び送受信する情報等の各種情報を表示する表示手段Ｄに必要な情報を表示させる。
【００１６】
通信網ＮＷ上の異常監視装置６２０は、いわゆるサーバーであって、インターネット及び電話網等の通信網ＮＷに接続する機能を有し、異常通報サービスを行うサービス事業体に管理されている。
【００１７】
通信網ＮＷ上の受信装置６３０は、構成の図示を省略したが、ＣＰＵ、記録手段、ＲＡＭ、通信網ＮＷに接続する通信手段、並びにモニタ、プリンタ及びスピーカ等の出力手段を備え、異常監視装置６２０から送られてきた通報情報の受信処理を行うようになっている。
【００１８】
次に、図７に沿って図６を参照しつつ異常通報システムの動作について説明する。なお処理手順の呼称であるステップは、単に「ＳＴ」と表記する。図７において、送信装置６００では、異常検出手段６０１が異常の発生を検出したとき、即ち、医療患者が異常を認識してピン引き抜き等の操作が行われたとき、異常発生入力受付が行われ（ＳＴ７０１）、受け付けた異常を示す異常情報が、ＲＯＭ６０２のプログラムに従い無線通信手段６０３から通信装置６１０の無線通信手段６１４に無線伝送される（ＳＴ７０２）。
【００１９】
通信装置６１０では、異常情報を受信すると（ＳＴ７０３）、予め備えられているＧＰＳ(Global Positioning System)機能及び通信圏内に存在する基地局から、現在位置を検出し（ＳＴ７０４）、検出した現在位置を示す経緯度等の位置情報、受信した異常情報、及び記録手段６１２に記録されている通信装置識別情報を通信制御手段６１５及び通信網通信手段６１６を使用して第２アンテナＡ２から通信網ＮＷ経由で異常監視装置６２０に送信する（ＳＴ７０５）。
【００２０】
異常監視装置６２０では、送られてきた情報を受信すると（ＳＴ７０６）、携帯通信者の名前を割り出し（ＳＴ７０７）、音声案内を生成し（ＳＴ７０８）、位置情報から発信者位置の地図画像を生成し（ＳＴ７０９）、生成した音声情報及び画像情報を含む通報情報を生成する（ＳＴ７１０）。そして、生成した通報情報を通信網ＮＷ経由で受信装置６３０に送信する（ＳＴ７１１）。
【００２１】
受信装置６３０では、通報情報を受信すると（ＳＴ７１２）、通報情報を出力する（ＳＴ７１３）。オペレータは、この出力情報によって、必要な部署に連絡し、医療患者に対する迅速な処置を支援するとしている。
【特許文献１】特開２００１−１１８１７４号公報
【特許文献２】特開２００２−１９７５７８号公報
【特許文献３】特開２００２−２６１９８２号公報
【特許文献４】実用新案登録第３０６５４５０号公報
【特許文献５】特開２００２−２７９５７１号公報
【発明の開示】
【発明が解決しようとする課題】
【００２２】
携帯電話機による緊急通報は、簡単な操作で行えるようにすることが重要である。しかし、そのために携帯電話機に緊急通報ボタンを設け、緊急時に警報ブザーを鳴らすだけでは、近くに人がいない場合には効果は少ない。この方法では、単なる警報ブザーを追加したに過ぎず、携帯電話機の通信機能を使い切れていない。また、簡便ではあるが通常は使うことの少ない緊急ボタンを小型の携帯電話機の筐体面に設ける場合には、筐体設計上の制約が増えるとともに、コストアップの要因にもなる。
【００２３】
一方、携帯電話機の通信機能を使うために、警備会社と契約して緊急通報の処理サービスを受けるには、警備会社等のサービス費用が必要になる。また、サービスの内容も各警備会社のメニューに制限される上に、ある程度のプライバシーの開示をする必要があり、金銭的にも、また心理的にも負担になるという問題がある。
【００２４】
また、携帯電話機の通信機能を使って緊急通報中である携帯電話機の状態を加害者等に察知された場合には、緊急通報を停止させられることも想定され、それらの対策を考慮する必要がある。
【００２５】
本発明は、かかる点に鑑みてなされたものであり、簡単な操作で緊急情報の発信を開始することができ、第３者に気づかれないで、また気づかれても簡単には第３者が停止操作する等の妨害操作ができない状態で、緊急情報の通報動作を完了することができ、かつ、ユーザの要望に合わせた内容の緊急情報が送信できる携帯電話機及び緊急情報の通信方法を提供することを目的とする。
【課題を解決するための手段】
【００２６】
かかる課題を解決するため、本発明に係る携帯電話機は、携帯電話機のアプリケーションとして通常のアプリケーションとともに装備される特定用途のアプリケーションと、特定のキー操作が行われたときに前記通常のアプリケーションが動作中であればそれを強制的に終了し、前記特定用途のアプリケーションを起動する第１手段と、前記特定のキー操作以後はキー操作による動作を制限するとともに、前記特定用途のアプリケーションによる通信動作を外部から認識できないように隠蔽する第２手段と、特定の終了キー操作があるまで前記特定用途のアプリケーションによる通信動作を繰り返し実行する第３手段とを具備する構成を採る。
【００２７】
この構成によれば、簡単な操作で特定用途のアプリケーションによる通信動作（例えば緊急情報の通報動作）を開始することができ、第３者に気づかれないで、また気づかれても簡単には第３者がその特定用途の通信動作を停止操作する等の妨害操作ができない状態で、その緊特定用途の通信動作を完了することができる。
【００２８】
本発明に係る携帯電話機は、上記の発明において、前記特定用途のアプリケーションは、当該携帯電話機のアプリケーションとして入れ替え可能に装備される緊急通報プログラムであるという構成を採る。
【００２９】
この構成によれば、緊急情報を簡単な操作で発信し、第３者に気づかれないで、また気づかれても簡単には第３者が停止操作する等の妨害操作ができない状態で、その緊急情報の通報動作を完了することができる。
【００３０】
本発明に係る携帯電話機は、上記の発明において、前記緊急通報プログラムによる通報内容を当該携帯電話機が有する基本機能の組み合わせの中から選択設定する手段を具備する構成を採る。
【００３１】
この構成によれば、ユーザの要望に合わせた内容の緊急情報が送信できるようになる。
【００３２】
本発明に係る携帯電話機は、上記の発明において、前記緊急通報プログラムによる通報内容を外部からダウンロードする外部通信手段を具備する構成を採る。
【００３３】
この構成によれば、ユーザの要望に合わせた内容の緊急情報が送信できるようになる。
【００３４】
本発明に係る携帯電話機は、上記の発明において、前記緊急通報プログラムによる通報内容には、警報音の発生が含まれるという構成を採る。
【００３５】
この構成によれば、周囲に居る人達に緊急事態の発生を知らせて加害者に威嚇を与え、また救済等を求めることができる。
【００３６】
本発明に係る携帯電話機は、上記の発明において、前記緊急通報プログラムによる通報動作では、通話先と電話が繋がった場合に着信音声の出力をしない制御を行う手段を具備する構成を採る。
【００３７】
この構成によれば、加害者に緊急通報中であることを知られないようにすることができる。
【００３８】
本発明に係る携帯電話機は、上記の発明において、前記緊急通報プログラムによる通報動作では、通信相手に当該携帯電話機の現在位置情報をメール送信する手段を具備する構成を採る。
【００３９】
この構成によれば、加害を受けた携帯電話機の所持者は、自分の居る場所を家族や恋人、友人等に通報することができる。
【００４０】
本発明に係る携帯電話機は、上記の発明において、前記緊急通報プログラムによる通報動作では、通信相手に当該携帯電話機が取得した周囲の画像をメール送信する手段を具備する構成を採る。
【００４１】
この構成によれば、加害を受けた携帯電話機の所持者は、自分の居る場所の周囲の状況を家族や恋人、友人等に通報することができる。
【００４２】
本発明に係る携帯電話機は、上記の発明において、前記第１手段は、前記特定のキー操作が行われたときにのみ前記特定用途のアプリケーションを起動する構成を具備する構成を採る。
【００４３】
この構成によれば、確実に特定用途の通信動作を起動することができる。
【００４４】
本発明に係る携帯電話機は、上記の発明において、前記第２手段は、前記特定用途のアプリケーションによる通信動作が行われている期間内、表示画面を待ち受け画面と区別できない状態に制御する構成を具備する。
【００４５】
この構成によれば、特定用途の通信動作を行っている最中であることを知られたくない第３者に気づかれないようにすることができる。
【００４６】
本発明に係る携帯電話機は、上記の発明において、前記第２手段は、前記特定用途のアプリケーションによる通信動作が行われている期間内では、表示画面を電源オフ時の画面と区別できない状態に制御する構成を具備する。
【００４７】
この構成によれば、特定用途の通信動作を行っている最中であることを知られたくない第３者に気づかれないようにすることができる。
【００４８】
本発明に係る携帯電話機は、上記の発明において、前記第３手段は、前記特定用途のアプリケーションによる通信動作を特定の終了キー操作があるときにのみ終了し、電源オフのキー操作があっても停止せずその通信動作を継続する構成を具備する。
【００４９】
この構成によれば、特定用途の通信動作を行っていることを知られたくない第３者に気づかれ電源をオフにする妨害操作が加えられても停止せずに特定用途の通信動作を最後まで続けることができる。
【００５０】
本発明に係る携帯電話機は、上記の発明において、前記キー操作には、リモコンでのキー操作が含まれるという構成を採る。
【００５１】
この構成によれば、リモコン操作によっても特定用途の通信動作を行うことができる。
【００５２】
本発明に係る携帯電話機による緊急情報の通信方法は、携帯電話機に通常のアプリケーションとともに特定用途のアプリケーションとして緊急通報プログラムを装備する第１工程と、特定のキー操作が行われたときに前記通常のアプリケーションが動作中であればそれを強制的に終了し、前記緊急通報プログラムを起動する第２工程と、前記特定のキー操作以後はキー操作による動作を制限するとともに、前記緊急通報プログラムによる通報動作を外部から認識できないように隠蔽する第３工程と、特定の終了キー操作があるまで前記緊急通報プログラムによる通報動作を繰り返し実行する第４工程とを具備するようにした。
【００５３】
この方法によれば、緊急情報を簡単な操作で発信し、第３者に気づかれないで、また気づかれても簡単には第３者が停止操作する等の妨害操作ができない状態で、その緊急情報の通報動作を完了することができる。
【００５４】
本発明に係る携帯電話機による緊急情報の通信方法は、上記の発明において、前記第１工程は、前記緊急通報プログラムによる通報内容を当該携帯電話機が有する基本機能の組み合わせの中から選択設定する工程を具備するようにした。
【００５５】
この方法によれば、ユーザの要望に合わせた内容の緊急情報が送信できるようになる。
【００５６】
本発明に係る携帯電話機による緊急情報の通信方法は、上記の発明において、前記第１工程は、前記緊急通報プログラムによる通報内容を外部通信手段を用いてダウンロードする工程を具備するようにした。
【００５７】
この方法によれば、ユーザの要望に合わせた内容の緊急情報が送信できるようになる。
【００５８】
本発明に係る携帯電話機による緊急情報の通信方法は、上記の発明において、前記緊急通報プログラムによる通報内容には、警報音の発生が含まれるようにした。
【００５９】
この方法によれば、周囲に居る人達に緊急事態の発生を知らせて加害者に威嚇を与え、また救済等を求めることができる。
【００６０】
本発明に係る携帯電話機による緊急情報の通信方法は、上記の発明において、前記第２工程は、前記特定のキー操作が行われたときにのみ前記緊急通報プログラムを起動する工程を具備するようにした。
【００６１】
この方法によれば、確実に緊急通報の通報動作を起動することができる。
【００６２】
本発明に係る携帯電話機による緊急情報の通信方法は、上記の発明において、前記第３工程は、前記緊急通報プログラムによる通報動作が行われている期間内では、表示画面を待ち受け画面と区別できない状態に制御する工程を具備するようにした。
【００６３】
この方法によれば、緊急通報の通報動作中であることを知られたくない第３者に気づかれないようにすることができる。
【００６４】
本発明に係る携帯電話機による緊急情報の通信方法は、上記の発明において、前記第３工程は、前記緊急通報プログラムによる通報動作が行われている期間内では、表示画面を電源オフ時の画面と区別できない状態に制御する工程を具備するようにした。
【００６５】
この方法によれば、緊急通報の通報動作中であることを知られたくない第３者に気づかれないようにすることができる。
【００６６】
本発明に係る携帯電話機による緊急情報の通信方法は、上記の発明において、前記第４工程は、前記緊急通報プログラムによる通報動作を特定の終了キー操作があるときにのみ終了し、電源オフのキー操作があっても停止せずその通報動作を継続する工程を具備するようにした。
【００６７】
この方法によれば、緊急通報の通報動作を行っていることを知られたくない第３者に気づかれ電源をオフにする妨害操作が加えられても停止せずに緊急通報の通報動作を最後まで続けることができる。
【００６８】
本発明に係る携帯電話機による緊急情報の通信方法は、上記の発明において、前記第４工程は、前記緊急通報プログラムによる通報動作によって通話先と電話が繋がった場合に着信音声の出力をしない制御を行う工程を具備するようにした。
【００６９】
この方法によれば、加害者に緊急通報中であることを知られないようにすることができる。
【００７０】
本発明に係る携帯電話機による緊急情報の通信方法は、上記の発明において、前記第４工程は、前記緊急通報プログラムによる通報動作過程で通信相手に当該携帯電話機の現在位置情報をメール送信する工程を具備するようにした。
【００７１】
この方法によれば、加害を受けた携帯電話機の所持者は、自分の居る場所を家族や恋人、友人等に通報することができる。
【００７２】
本発明に係る携帯電話機による緊急情報の通信方法は、上記の発明において、前記キー操作には、リモコンでのキー操作が含まれるようにした。
【００７３】
この方法によれば、リモコン操作によっても緊急通報の通報動作を行うことができる。
【発明の効果】
【００７４】
本発明によれば、簡単な操作で緊急情報の発信を開始することができ、第３者に気づかれないで、また気づかれても簡単には第３者が妨害できない状態で、緊急情報の通報を完了することができ、かつ、ユーザの要望に合わせた内容の緊急情報が送信できる携帯電話機及び緊急情報の通信方法を提供することができる。
【発明を実施するための最良の形態】
【００７５】
本発明の骨子は、携帯電話機を所持している者が痴漢や脅し、ひったくり、また誘拐その他の緊急事態に遭遇した場合に、携帯電話機の所持者が簡単な操作で警報音を発生して近くの人に知らせて加害者に威嚇を与え、かつ緊急通報を予め設定した家族、恋人、友人等に通報することが有効である点に鑑み、通常の携帯電話機が持つ基本機能を組み合わせた緊急通報プログラムを用意し、そのプログラムを簡単な操作で起動することによって緊急通報を自動的に発信できるようにすることである。
【００７６】
そのとき、この緊急通報プログラムは、携帯電話機のアプリケーションとして入れ替え可能とし、ユーザが希望する緊急通報の種類が選択設定できるようにする。例えば、大きな警報音や特殊音を発生すること、予め登録した人に予め内容の決まった緊急メールを送ること、ＧＰＳ位置情報や映像を送ること、音声通話を開始したりすることなどを組み合わせて緊急通報の種類を携帯電話機のユーザが選択設定できるようにする。
【００７７】
また、本発明の骨子は、緊急通報プログラムはボタン１つの操作で起動できることが望ましいので、例えばユーザが決めた特定キーの長押しで、携帯電話機がどのような状態であっても起動できるようにその特定キー入力処理を最も優先順位の高い処理として緊急通報プログラムを構成することである。
【００７８】
更に、本発明の骨子は、緊急通報を発信している状態を加害者等に気づかれないようにするため、緊急通報の発信後は表示画面を消すか、又は、表示画面を通常の待ち受け状態に擬似表現することで、表示画面の状態からは発信状態を判断し難いようにする。また、たとえ緊急通報の発信が気づかれた場合でも加害者が発信動作を止めることができないように電源ＯＦＦの操作を不能にする。これらの手段を取捨選択することでユーザの要望に合致した緊急通報を行うことを可能にすることである。
【００７９】
従来の緊急通報システムの多くは、緊急時のサポートを受けようとする人が、セキュリティー事業を行っている業者と契約して、緊急通報を行った人の位置や情報を取得して必要な救済措置を行うシステムとなっている。
【００８０】
これに対して、本発明では、緊急通報を緊急通報アプリケーションとして携帯電話機に組み込み、ユーザがカスタマイズできるようにすることで、例えば警報音や特殊音を鳴らす、又は自宅に緊急メールを発送する、現在位置付きメールを発送する、或いはそれらを併用するなど、ユーザの要望に合致した内容に設定できるので、ユーザの要望に合致した緊急情報を作ることができる。
【００８１】
また、本発明では、緊急通報中であることを加害者等の第３者に気づかれても緊急通報を停止させられないようにするため、通報中は表示画面が変化しないようにする等の措置を採って通報動作を隠蔽し、かつ気づかれた場合でも、電源ＯＦＦの操作では実行している緊急通報を止められないようにしているので、有効な緊急通報を継続して通報し続けるがことができる。更に、緊急通報アプリケーションを更新することで、常に新しい内容の緊急通報プログラムを導入することができるようになる。
【００８２】
以下、本発明の実施の形態について図面を参照して詳細に説明する。
【００８３】
（実施の形態１）
図１は、本発明の一実施の形態に係る携帯電話機の構成を示すブロック図である。図１に示す携帯電話機は、中央処理部１０１を中心として構成される。即ち、中央処理部１０１には、プログラムやデータを記憶するＲＯＭ１０２及びＲＡＭ１０３、マンマシンインタフェースであるキー操作部１０４及び表示部１０５、ＧＰＳ受信部１０６、外部インターフェース部（外部Ｉ／Ｆ部）１０７が接続されている。ＧＰＳ受信部１０６は、ＧＰＳ衛星電波を受信するＧＰＳアンテナ１０８を備えている。
【００８４】
また、中央処理部１０１には、データ通信処理部１０９、通話処理部１１０、送受話部１１１、アプリケーション実行プラットフォーム１１２が接続されている。データ通信処理部１０９と通話処理部１１０とには、携帯電話送受信部１１３が接続され、携帯電話送受信部１１３は、基地局と電波授受を行うアンテナ１１４を備えている。また、通話処理部１１０と送受話部１１１とは、相互間で信号授受を行うようになっている。更に、アプリケーション実行プラットフォーム１１２には、２つの記憶装置１１５、１１６が並列に接続されている。記憶装置１１５には、緊急通信用アプリケーションが格納されている。以降、記憶装置１１５は、緊急通信用アプリケーション１１５と記す。記憶装置１１６には、通常のアプリケーションが格納されている。以降、記憶装置１１６は、アプリケーション１１６と記す。
【００８５】
以上の構成において、音声送信の場合には、送受話部１１１は、音声信号を通話処理部１１０に与える。通話処理部１１０にて符号化処理を行った音声信号は、携帯電話送受信部１１３にて携帯電話の通信規格に従った高周波信号に変換され、アンテナ１１４から基地局に向けて送信される。音声受信の場合には、携帯電話送受信部１１３は、アンテナ１１４の受信信号に含まれる音声信号を携帯電話の通信規格に従って取り出して通話処理部１１０に与える。通話処理部１１０にて音声復調した音声信号は、送受話部１１１に送られ、音声がスピーカから出力される。
【００８６】
メールや文書、画像などのデータ送信の場合は、データ通信処理部１０９は、送信データにデータ圧縮、誤り訂正、フレーム処理などの処理を施して携帯電話送受信部１１３に与える。携帯電話送受信部１１３は、受け取った送信データをデータ通信用の送信規格に従った高周波信号に変換し、アンテナ１１４から基地局に向けて送信する。データ受信の場合は、携帯電話送受信部１１３は、アンテナ１１４の受信信号に含まれるデータ信号を取り出してデータ通信処理部１０９に与える。データ通信処理部１０９は、データ信号を復元して中央処理部１０１に与える。中央処理部１０１は、受け取ったデータ情報に必要な処理を加え、その内容に応じて表示部１０５への表示やスピーカからの音楽等の音出力を行う。
【００８７】
また、アプリケーション実行プラットフォーム１１２は、例えばＪＡＶＡ（登録商標）仮想マシンであり、特定用途のアプリケーションとしての緊急通信用アプリケーション１１５と通常のアプリケーション１１６とを実行するためのプラットフォームである。アプリケーション実行プラットフォーム１１２は、予めＲＯＭ化されているプログラム以外のアプリケーションプログラムを実行できる環境を提供している。
【００８８】
ここで、通常のアプリケーション１１６が、マンマシンインタフェースでの複雑な選択操作によって起動しても構わないのに対し、緊急通信用アプリケーション１１５は、携帯電話機の状態が如何なる動作状態にあろうとも、特定キーの押し下げなどの極めて簡単なキー操作で直ちに起動し、その後は予め決めた手順で警報を鳴らし、予め決められた手順で緊急情報をアンテナ１１４から出し続けるように当該携帯電話機を制御するようになっている。
【００８９】
また、緊急通信用アプリケーション１１５は、緊急情報発信中では、表示部１０５の表示画面を通常の待ち画面と同様の画面にするか、或いは電源ＯＦＦ時のように画面を消して通信状態であることが表示部１０５には表示しないなどの制御を行うことで、加害者や犯人に緊急通報の送信中であることが気付かれないようにする制御が行えるようになっている。
【００９０】
ＧＰＳ受信部１０６は、緊急通信用アプリケーション１１５からの指令によってその時のＧＰＳ位置を取得し、緊急通信用アプリケーション１１５に伝える。これによって、緊急通信用アプリケーション１１５では、現在位置を緊急通信先に逐一伝達する処理が行えるようになる。
【００９１】
また、緊急通信用アプリケーション１１５では、緊急情報の送信に併せて、決められた相手先に携帯電話回線で電話を繋ぎ、こちらの会話内容や緊急状態を音声で伝えることも可能である。この場合には、相手先からの音声がスピーカから出力されると、加害者や犯人に通話中であることが感づかれ、更なる危害を被ることも予想されるので、通話先からの着信音はスピーカから出ないようにし、こちら側の通話のみを相手に伝えるように制御するようになっている。
【００９２】
また、緊急通信用アプリケーション１１５では、緊急通報は、１回のみでは、緊急状態の変化が伝わらないので、緊急通報を繰り返し実行するようになっている。そして、ユーザのみが知る緊急通報終了キーの操作があると、緊急通信用アプリケーション１１５は、危険が去って安全に通話できる環境になったと判断して、緊急通信を終了させるようになっている。
【００９３】
外部Ｉ／Ｆ部１０７では、他の携帯電話機との通常の通信機能を実現するアプリケーション１１６を書き換える以外に、緊急通信用アプリケーション１１５を書き換えることが可能である。即ち、緊急通信用アプリケーション１１５は、ユーザが更新することができるようになっている。
【００９４】
緊急通信用アプリケーション１１５は、誤った緊急通報の起動を防ぐため、その初期設定時にキー操作部１０４のキーの中からユーザのみが知る緊急通信用のキーを設定し、その緊急通信用キーの長押し等の特殊操作によってのみ起動するようになっている。
【００９５】
そして、緊急通信用アプリケーション１１５は、第３者による緊急通信の終了を防ぐため、一旦、緊急通信を開始した後は、ユーザのみが知る緊急通報終了キーの操作でのみ終了処理を行うようになっている。つまり、一旦、緊急通信を開始した後は、第３者が緊急通信を知って電源をＯＦＦ操作しても電源は切れないようになっている。
【００９６】
次に、図２〜図５を参照して、以上のように構成される携帯電話機において実現される緊急通信方法について説明する。なお、図２は、中央処理部１０１が実行するメインルーチンでの処理内容を説明するフローチャートである。図３は、図２に示す緊急通信タスク起動処理によって起動される緊急通信タスクでの処理内容を説明するフローチャートである。図４は、図２に示す通常通信タスク起動処理によって起動される通常通信タスクでの処理内容を説明するフローチャートである。図５は、リモコン起動タスクでの処理内容を説明するフローチャートである。なお、各フロー図の説明では、処理手順の呼称であるステップは、単に「ＳＴ」と表記する。
【００９７】
図２に示すように、メインルーチンでは、初期化処理と、キー入力受付によるタスクの起動、キー入力を必要なタスクに伝える処理が行われる。即ち、図２において、携帯電話機の電源が入ると、携帯電話機の初期化が行われる（ＳＴ２０２）。初期化処理が終わると、携帯電話機は、通話操作を含む全てのキー操作が可能な状態になり、操作者からの指示待ちとなる（ＳＴ２０３）。キー入力が入ると、緊急通信キー入力であるか否かの判定が行われる（ＳＴ２０４）。
【００９８】
入力キーが緊急通信キー入力でない場合（ＳＴ２０４：Ｎｏ）は、緊急通信中か否かを判定し（ＳＴ２０５）、緊急通信中の場合（ＳＴ２０５：Ｙｅｓ）はキー入力を無視してキー入力待ち（ＳＴ２０３）に戻る。一方、緊急通信中で無い場合（ＳＴ２０５：Ｎｏ）は、通常キー入力処理を行い（ＳＴ２０６）、通常通信の起動中であるか否かを判定する（ＳＴ２０７）。
【００９９】
その結果、通常通信の起動中であれば（ＳＴ２０７：Ｙｅｓ）、通常通信タスクに入力キーデータを渡し（ＳＴ２０８）、次ぎのキー入力を待つ（ＳＴ２０３）。また、通常通信が起動中でない場合（ＳＴ２０７：Ｎｏ）は、入力キーが通常通信の起動キーであるか否かを判断する（ＳＴ２０９）。その結果、入力キーが通常通信の起動キーである場合（ＳＴ２０９：Ｙｅｓ）は、指定された通常通信タスクを起動し（ＳＴ２１０）、次ぎのキー入力を待つ（ＳＴ２０３）。一方、通常通信の起動キーでない場合（ＳＴ２０９：Ｎｏ）は、何もせずに次ぎのキー入力を待つ（ＳＴ２０３）。なお、通常通信動作は、通常通信タスクに渡す終了キーデータにより終了される。
【０１００】
一方、ＳＴ２０４において、入力キーが緊急通信キー入力である場合（ＳＴ２０４：Ｙｅｓ）は、緊急通信終了キー入力であるか否か判定する（ＳＴ２１１）。そして、入力キーが緊急通信終了キー入力である場合（ＳＴ２１１：Ｙｅｓ）は、緊急通信終了指示の発行を行って通信中であった緊急通信を終了させ（ＳＴ２１２）、携帯電話の初期化（ＳＴ２０２）を行い、キー入力待ち（ＳＴ２０３）に戻る。
【０１０１】
また、ＳＴ２１１において、入力キーが緊急通信終了キーで無い場合（ＳＴ２１１：Ｎｏ）は、緊急通信の起動であるとして、緊急通信タスクを起動（ＳＴ２１３）し、キー入力待ち（ＳＴ２０３）に戻り、今度は緊急通信終了キー入力があるまで（ＳＴ２１１：Ｙｅｓ）緊急通信の実行を継続する。
【０１０２】
次に、図３において、緊急通信タスクは、メインルーチンから起動が掛かるのを待機し（３０１）、メインルーチン（ＳＴ２１２）から緊急通信タスクの起動が掛かると、起動中の通常通信タスクがある場合はその通常通信タスクの強制終了処理を行い（ＳＴ３０２）、画面隠蔽処理を行い（ＳＴ３０３）、緊急通信タスクが実行していることを画面からは判断し難いようにする。そして、緊急通信タスクは、キー入力を制限し（ＳＴ３０４）、特に電源ＯＦＦのキー動作を禁止し、通常のキー操作では緊急通信を停止できないように設定する。なお、ＳＴ３０２〜ＳＴ３０４の各処理の順序は、任意である。
【０１０３】
その後、緊急通信タスクは、緊急通信処理（ＳＴ３０５）を実行する。そして、緊急通信処理の実行過程でメインルーチン（ＳＴ２１２）から緊急通信終了指示が入力するか否かを監視し（ＳＴ３０６）、メインルーチン（ＳＴ２１２）から緊急通信終了指示が入力するまで（ＳＴ３０６：Ｎｏ）、緊急通信処理を継続して実行し（ＳＴ３０５）、メインルーチン（ＳＴ２１２）から緊急通信終了指示が入力すると（ＳＴ３０６：Ｙｅｓ）、緊急通信処理の繰り返し実行を終了し、緊急通信の起動指示を待機する（ＳＴ３０１）。
【０１０４】
ここで、ＳＴ３０５での緊急通信の内容は、ユーザが動作内容をカスタマイズできるアプリケーションとし、必要な項目を選んで設定できるので、ユーザ毎に異なった緊急通信内容に設定することが可能となる。例えば、警報音のみの緊急通報も選択することが可能である。
【０１０５】
また、緊急情報の通信に起動を掛ける方法として、携帯電話機の特別なキー操作によると説明したが、後述（図５）するように、リモコンにより緊急通信に起動をかける方法を併用することも可能である。
【０１０６】
次に、図４において、通常通信タスクは、メインルーチンから起動が掛かるのを待機し（ＳＴ４０１）、メインルーチン（ＳＴ２１０）から通常通信タスクの起動が掛かると、通常通信処理を行う（ＳＴ４０２）。通常通信タスクは、メインルーチン（ＳＴ２０８）から通常通信タスクキーデータを随時受け取ることで、通常通信処理（ＳＴ４０２）の実行を継続する。通常通信タスクは、通常通信処理（ＳＴ４０２）を終了すると、起動待ち（ＳＴ４０１）に戻る。
【０１０７】
次に、図５において、リモコン起動タスクは、リモコンのキー操作によるリモコンキー入力の受信待ちとなっている（ＳＴ５０１）。リモコンのキー操作によってリモコンのキー入力が受信されると、リモコン起動タスクは、操作されたリモコンキーが緊急通信起動キーであるか、或いは緊急通信停止指令キーであるかを判定する（ＳＴ５０２）。その結果、操作されたリモコンキーが緊急通信起動キーであると判定した場合（ＳＴ５０２：Ｙｅｓ）は、緊急通信タスクを起動し（ＳＴ５０３）、リモコン受信待ち（ＳＴ５０１）に戻る。これによって、図３に示した緊急通信処理（ＳＴ３０５）が実行される。
【０１０８】
一方、操作されたリモコンキーが緊急通信停止指令キーであると判定した場合（ＳＴ５０２：Ｎｏ）は、緊急通信終了指示を発行し（ＳＴ５０４）、リモコン受信待ち（ＳＴ５０１）に戻る。これによって、起動している緊急通信タスクは、図３における終了指示確認が行われ（ＳＴ３０６：Ｙｅｓ）、緊急通信処理（ＳＴ３０５）を終了する。
【０１０９】
このように、リモコン操作によって緊急通信の起動制御と停止制御を行う場合は、携帯電話機がバッグの中や少し離れたところにあっても緊急通報の起動が可能になるので、緊急時における操作が簡便になる利点がある。
【０１１０】
以上のように、実施の形態に係る携帯電話機によれば、携帯電話機が如何なる状態であっても、直ちに現在の通信状態や通常のアプリケーション使用を停止し、緊急通信を開始することができる。
【０１１１】
そして、緊急通信の実行中は、停止のためのキー操作以外は例え電源ＯＦＦのキー操作であっても無効にし、ユーザが知る特別な停止キー以外では緊急通信が停止できないようにするので、例えば加害者など第三者による緊急通信の停止を防ぐことができる。
【０１１２】
加えて、緊急通信中は、携帯電話機の表示画面を待機状態、或いは電源断の状態に設定し、携帯電話機が緊急通信中であることを隠蔽するので、第三者に緊急通報を行っていることが判らないようにすることができ、更に安全に緊急通信を行うことができる。
【０１１３】
更に、緊急通信の内容を携帯電話機の持つ基本機能に組み合わせたアプリケーションとして、更新・変更することができるので、ユーザの多様な要望に応えることができる。
【産業上の利用可能性】
【０１１４】
本発明は、携帯電話機を用いて緊急情報を第３者の妨害無しに無線伝送できる緊急通信方法を実施するのに好適である。
【図面の簡単な説明】
【０１１５】
【図１】本発明の一実施の形態に係る携帯電話機の構成を示すブロック図
【図２】図１に示す中央処理部が実行するメインルーチンでの処理内容を説明するフローチャート
【図３】図２に示す緊急通信タスク起動処理によって起動される緊急通信タスクでの処理内容を説明するフローチャート
【図４】図２に示す通常通信タスク起動処理によって起動される通常通信タスクでの処理内容を説明するフローチャート
【図５】リモコン起動タスクでの処理内容を説明するフローチャート
【図６】従来の異常通報システムの構成例を示すブロック図
【図７】図６に示す異常通報システムの動作を説明するフローチャート
【符号の説明】
【０１１６】
１０１  中央処理部
１０２  ＲＯＭ
１０３  ＲＡＭ
１０４  キー操作部
１０５  表示部
１０６  ＧＰＳ受信部
１０７  外部インターフェース（外部Ｉ／Ｆ）
１０８  ＧＰＳアンテナ
１０９  データ通信処理部
１１０  通話処理部
１１１  送受話部
１１２  アプリケーション実行プラットフォーム
１１３  携帯電話送受信部
１１４  アンテナ
１１５  記憶装置（緊急通信用アプリケーション）
１１６  記憶装置（アプリケーション）
【図１】
2005341302.tif 000003
【図２】
2005341302.tif 000004
【図３】
2005341302.tif 000005
【図４】
2005341302.tif 000006
【図５】
2005341302.tif 000007
【図６】
2005341302.tif 000008
【図７】
2005341302.tif 000009